(57)【要約】【課題】  高次の歪の影響を低減した状態で低次のベクトル調整器を調整することができ、次数毎に精度の高いベクトル調整を行って、十分な歪補償量を得ることができる歪補償装置を提供する。【解決手段】  異なる次数の歪補償信号を出力する歪補償信号発生回路３，５を、遅延線１２に並列に複数接続して備え、高次の歪を補償する歪補償信号発生回路５のベクトル調整器（可変移相器１４１及び可変減衰器１５１）を調整して高次の歪を補償してから低次の歪補償信号発生回路のベクトル調整器（可変移相器１４０及び可変減衰器１５０）が調整されている歪補償装置としている。【選択図】        図１
2008048032.tif 000002
【特許請求の範囲】
【請求項１】
増幅器で発生する非線形歪の内、特定の次数の歪に対応する歪成分を発生する歪発生器と、前記歪発生器から出力される歪成分の位相及び振幅を調整するベクトル調整器とを有し、前記増幅器における特定の次数の歪を補償する歪補償信号を出力する歪補償信号発生回路と、
入力信号を遅延する遅延線とを備え、
前記歪補償信号発生回路からの出力と前記遅延線からの出力とを合成して前記増幅器に出力する歪補償装置であって、
異なる次数の歪補償信号を出力する前記歪補償信号発生回路を、前記遅延線に並列に複数接続して備え、
前記複数の歪補償信号発生回路の前記ベクトル調整器が、高次の歪を補償する歪補償信号発生回路から順に調整されていることを特徴とする歪補償装置。
【請求項２】
増幅器で発生する非線形歪の内、特定の次数の歪に対応する歪成分を発生する歪発生器と、前記歪発生器から出力される歪成分の位相及び振幅を調整するベクトル調整器とを有し、前記増幅器における特定の次数の歪を補償する歪補償信号を出力する歪補償信号発生回路と、
入力信号を遅延する遅延線とを備え、
前記歪補償信号発生回路からの出力と前記遅延線からの出力とを合成して前記増幅器に出力する歪補償装置であって、
異なる次数の歪補償信号を出力する前記歪補償信号発生回路を、前記遅延線に並列に複数接続して備え、
前記複数接続された歪補償信号発生回路のいずれかが、歪発生器から出力される歪成分を分配する分配器と、前記分配された歪成分の下側周波数成分を通過させる第１のフィルタと、前記下側周波数成分の位相及び振幅を調整する第１のベクトル調整器と、前記分配された歪成分の上側周波数成分を通過させる第２のフィルタと、前記上側周波数成分の位相及び振幅を調整する第２のベクトル調整器とを備えた歪補償信号発生回路であることを特徴とする歪補償装置。
【請求項３】
増幅器で発生する非線形歪の内、特定の次数の歪に対応する歪成分を発生する歪発生器と、前記歪発生器から出力される歪成分の位相及び振幅を調整するベクトル調整器とを有し、前記増幅器における特定の次数の歪を補償する歪補償信号を出力する歪補償信号発生回路と、
入力信号を遅延する遅延線とを備え、
前記歪補償信号発生回路からの出力と前記遅延線からの出力とを合成して前記増幅器に出力する歪補償装置であって、
異なる次数の歪補償信号を出力する前記歪補償信号発生回路を、前記遅延線に並列に複数接続して備え、
前記歪補償信号発生回路の歪発生器が、前記特定の次数の歪以外の出力を抑えるよう、バイアス電圧が印加される歪発生器であることを特徴とする歪補償装置。
【発明の詳細な説明】
【技術分野】
【０００１】
本発明は、増幅器において発生する歪を低減させる歪補償装置に係り、特に簡易な構成で優れた歪補償特性を備える歪補償装置に関する。
【背景技術】
【０００２】
携帯電話に代表されるように、近年、無線を利用したシステムが普及している。これらの無線システムの多くが線形変調方式を採用しており、その信号を増幅する増幅回路には直線性が要求される。
また、マルチキャリア増幅に代表されるように、共通増幅を行うことで、コスト低減及び増幅効率の向上が要求されている。
これらの要求に応えるために、歪補償機能付き増幅装置（歪補償増幅装置）が用いられれている。
【０００３】
歪補償は、増幅器で発生する歪を打ち消すことにより実現される。歪補償方法としては、増幅器で発生した歪そのものを使用する方法（フィードフォワード、フィードバック）と、補償される増幅器とは異なる素子を用いて発生させた歪を使用する方法（前置歪補償、プリディストーション）とがある。
更に、前置歪補償には、アナログ素子を用いたアナログ方式と、ＤＳＰ（Digital Signal Processor）等のデジタル信号処理装置を使用したデジタル方式がある。
【０００４】
デジタル前置歪補償方式は、高い歪補償量を実現し、電力効率がよく、生産性がよいという長所があるが、回路規模が大きく、装置コストが高くなってしまうという短所がある。
アナログ前置歪補償方式は、他の歪補償方式と比較して歪補償量が小さいという短所はあるものの、回路規模が小さく、経済性において優れているため、最近、見直されつつある。
【０００５】
ここで、従来のアナログ前置歪補償装置について図１０を使って説明する。図１０（ａ）は、前置歪補償装置付き増幅装置の概略構成ブロック図であり、（ｂ）は、従来のアナログ前置歪補償回路の構成ブロック図である。
図１０（ａ）に示すように、前置歪補償装置付き増幅装置は、主増幅器２の前段にを備え、主増幅器２で発生する非線形歪の逆特性となる歪を予め前置歪補償回路１で加えておくことにより、主増幅器２で発生する歪を補償する構成となっている。
【０００６】
図１０（ｂ）に示すように、従来のアナログ前置歪補償回路（以下、「アナログＰＤ（Pre Distorter）」とする）は、分配器１１と、遅延線１２と、３次歪発生器１３と、可変移相器１４と、可変減衰器１５と、合成器１７とから構成されている。
【０００７】
分配器１１は、入力信号を分配するものである。
遅延線１２は、分配された入力信号を一定時間遅延するものである。
３次歪発生器１３は、予め増幅器２で発生する３次歪に合わせて調整されており、３次歪を発生するものである。
可変移相器１４は、３次歪発生器１３で発生した３次歪の位相を制御するものである。
可変減衰器１５は、位相を調整された３次歪の振幅を制御するものである。可変移相器１４及び可変減衰器１５はベクトル調整を行うものである。
【０００８】
上記構成のアナログＰＤにおける動作について簡単に説明する。
入力信号は、分配器１１で分配され、一方は遅延線１２に、もう一方は３次歪発生器１３に入力される。
３次歪発生器１３では、入力信号に応じて３次歪を発生し、３次歪信号は、可変移相器１４及び可変減衰器１５で、補償したい歪成分と等振幅逆位相となるよう位相及び振幅を制御されて、歪補償信号として合成器１７に入力される。
【０００９】
遅延線１２に入力された信号は、一定時間遅延されて合成器１７に入力され、合成器１７において歪補償信号と合成され、入力信号として増幅器２に入力される。増幅器２で増幅の際に発生する歪と予め入力信号に合成されている歪補償信号とが相殺されて、歪を含まない増幅出力を得るものである。
このようにして、従来のアナログＰＤでは、信号成分の近傍に最も大きなレベルで現れる３次歪について補償を行うようになっていた。
【００１０】
次に、歪補償の原理について図１１を用いて簡単に説明する。図１１は、歪補償の原理を示す模式説明図である。
図１１に示すように、線形成分とは別に、増幅器によって発生する歪成分として、３次歪成分と５次歪成分とがあるとすると、それらの信号ベクトルと大きさが同じ（等振幅）で符号が反対（逆位相）の信号ベクトル（図では、「増幅器の入力に含まれる３次歪信号」と「増幅器の入力に含まれる５次歪信号」）を予め入力信号に合成しておけばよい。
これにより、増幅器で発生する歪成分と予め合成された歪信号とが打ち消し合い、歪を含まない線形成分を得ることができるものである。
【００１１】
ここで、増幅器出力のスペクトルについて図１２を用いて説明する。図１２は、増幅器２の出力スペクトルを示す説明図である。
図１２に示すように、増幅器出力が飽和出力レベルに近い場合、増幅器２の出力には、信号成分の他に、信号成分の低周波数側と高周波数側に相互変調歪が含まれる。信号成分に近いところから順に、３次歪（ＩＭ３（Ｌ）及びＩＭ３（Ｕ））、５次歪（ＩＭ５（Ｌ）及びＩＭ５（Ｕ））、７次歪（ＩＭ７（Ｌ）及びＩＭ７（Ｕ））が発生する。尚、各次数の歪は、それぞれ、その次数以下の歪の周波数成分も含まれている。
【００１２】
尚、プレディストータに関する従来技術としては、平成１７年１２月２日公開の特開２００５−３３３３５３号「プレディストータ」（出願人：株式会社日立国際電気、発明者：本江直樹）がある。
この従来技術は、歪補償対象の増幅器の入出力特性と同一又は近似する入出力特性を備えた増幅器レプリカ手段が、信号を入力して出力し、差検出手段が、プリディストータへの入力信号と増幅器レプリカ手段からの出力信号との差を検出し、増幅器レプリカ信号変化手段が、差検出手段により検出される差が小さくなるように、増幅器レプリカ手段に入力する信号を変化させ、この信号を増幅器に出力するものであり、増幅器で発生する歪を補償できるものである。
【００１３】
【特許文献１】特開２００５−３３３３５３号公報
【発明の開示】
【発明が解決しようとする課題】
【００１４】
しかしながら、増幅器をより高出力な状態で使用しようとすると、３次歪だけでなく、より高次の相互変調歪（５次、７次、…）が発生し、発生した高次歪は、より低次の歪に影響を与え、従来の前置歪補償装置では歪補償量が低減してしまうという問題点があった。
【００１５】
例えば、５次歪は、３次歪に影響を与え、３次歪は５次歪のために特性が変化してしまうため、元々の３次歪を打ち消すような特性を持った前置歪補償装置では、特性がずれてしまい、十分な歪補償量が得られなくなってしまうものである。
【００１６】
また、高次の相互変調歪ほど信号周波数から離れた周波数に現れるため、より高次の歪を効果的に補償するには、歪発生器を含めた歪補償回路が広帯域に亘って良好な周波数特性を備えていることが必要となり、回路の設計及び調整が困難であるという問題点があった。
【００１７】
回路の周波数特性と歪信号の関係について図１３を用いて説明する。図１３は、回路の周波数特性と歪信号の関係を示す模式説明図である。
図１３（ａ）に示すように、広帯域な周波数特性を持つ回路であれば、歪発生器で発生した歪信号はそのまま出力信号として出力されるが、（ｂ）に示すように、十分広い周波数特性を備えていない回路の場合、入力された歪信号の高次の歪信号が崩れてしまい、十分な歪補償ができなくなってしまう。
【００１８】
本発明は上記実状に鑑みて為されたもので、高次の相互変調歪の影響を低減して、十分な歪補償量を得ることができる歪補償装置を提供することを目的とする。
また、本発明は、特に広い周波数特性を備えなくても高次の歪を効果的に補償することができる歪補償装置を提供することを目的とする。
また、本発明は、簡単な回路構成で高次の歪まで補償することができる歪補償装置を提供することを目的とする。
【課題を解決するための手段】
【００１９】
上記従来例の問題点を解決するための本発明は、増幅器で発生する非線形歪の内、特定の次数の歪に対応する歪成分を発生する歪発生器と、歪発生器から出力される歪成分の位相及び振幅を調整するベクトル調整器とを有し、増幅器における特定の次数の歪を補償する歪補償信号を出力する歪補償信号発生回路と、入力信号を遅延する遅延線とを備え、歪補償信号発生回路からの出力と遅延線からの出力とを合成して増幅器に出力する歪補償装置であって、異なる次数の歪補償信号を出力する歪補償信号発生回路を、遅延線に並列に複数接続して備え、複数の歪補償信号発生回路のベクトル調整器が、高次の歪を補償する歪補償信号発生回路から順に調整されていることを特徴としている。
【００２０】
また、上記従来例の問題点を解決するための本発明は、増幅器で発生する非線形歪の内、特定の次数の歪に対応する歪成分を発生する歪発生器と、歪発生器から出力される歪成分の位相及び振幅を調整するベクトル調整器とを有し、増幅器における特定の次数の歪を補償する歪補償信号を出力する歪補償信号発生回路と、入力信号を遅延する遅延線とを備え、歪補償信号発生回路からの出力と遅延線からの出力とを合成して増幅器に出力する歪補償装置であって、異なる次数の歪補償信号を出力する歪補償信号発生回路を、遅延線に並列に複数接続して備え、複数接続された歪補償信号発生回路のいずれかが、歪発生器から出力される歪成分を分配する分配器と、分配された歪成分の下側周波数成分を通過させる第１のフィルタと、下側周波数成分の位相及び振幅を調整する第１のベクトル調整器と、分配された歪成分の上側周波数成分を通過させる第２のフィルタと、上側周波数成分の位相及び振幅を調整する第２のベクトル調整器とを備えた歪補償信号発生回路であることを特徴としている。
【００２１】
また、上記従来例の問題点を解決するための本発明は、増幅器で発生する非線形歪の内、特定の次数の歪に対応する歪成分を発生する歪発生器と、歪発生器から出力される歪成分の位相及び振幅を調整するベクトル調整器とを有し、増幅器における特定の次数の歪を補償する歪補償信号を出力する歪補償信号発生回路と、入力信号を遅延する遅延線とを備え、歪補償信号発生回路からの出力と遅延線からの出力とを合成して増幅器に出力する歪補償装置であって、異なる次数の歪補償信号を出力する歪補償信号発生回路を、遅延線に並列に複数接続して備え、歪補償信号発生回路の歪発生器が、特定の次数の歪以外の出力を抑えるよう、バイアス電圧が印加される歪発生器であることを特徴としている。
【発明の効果】
【００２２】
本発明によれば、異なる次数の歪補償信号を出力する歪補償信号発生回路を、遅延線に並列に複数接続して備え、複数の歪補償信号発生回路のベクトル調整器が、高次の歪を補償する歪補償信号発生回路から順に調整されている歪補償装置としているので、歪の次数毎に独立してベクトル調整を行うことができ、更に、高次から順次調整して歪を補償することにより、高次の歪の影響を低減した状態で低次のベクトル調整器を調整することができ、次数毎に精度の高いベクトル調整を行って、十分な歪補償量を得ることができる効果がある。
【００２３】
また、本発明によれば、異なる次数の歪補償信号を出力する歪補償信号発生回路を、遅延線に並列に複数接続して備え、複数接続された歪補償信号発生回路のいずれかが、歪発生器から出力される歪成分を分配する分配器と、分配された歪成分の下側周波数成分を通過させる第１のフィルタと、下側周波数成分の位相及び振幅を調整する第１のベクトル調整器と、分配された歪成分の上側周波数成分を通過させる第２のフィルタと、上側周波数成分の位相及び振幅を調整する第２のベクトル調整器とを備えた歪補償信号発生回路である歪補償装置としているので、周波数分布の広い高次の歪を周波数帯によって上側と下側に分離して補償することができ、特別に広い周波数特性を備えた回路を用いることなく高次の歪を補償することができ、装置構成及び調整を容易にすることができる効果がある。
【００２４】
また、本発明によれば、異なる次数の歪補償信号を出力する歪補償信号発生回路を、遅延線に並列に複数接続して備え、歪補償信号発生回路の歪発生器が、特定の次数の歪以外の出力を抑えるよう、バイアス電圧が印加される歪発生器である歪補償装置としているので、歪発生器から所望の次数の歪信号を高精度で出力することができ、小さい回路構成で高い歪補償特性を得ることができる効果がある。
【発明を実施するための最良の形態】
【００２５】
本発明の実施の形態について図面を参照しながら説明する。
本発明の歪補償装置は、歪を発生する歪発生器と、発生した歪の位相を調節する可変移相器と、発生した歪の振幅を調節する可変減衰器とから成る歪補償信号発生回路を、歪の次数毎に設けて並列に接続した構成であり、３次歪、５次歪、７次歪等の歪を、次数毎に独立して調整して補償することができ、高次歪の影響を低減し、十分な歪補償量を得ることができるものである。
【００２６】
また、本発明の歪補償装置は、上記のように次数毎に設けた歪補償信号発生回路を備え、高次の歪から順次歪を発生させて、対応する高次の可変移相器及び可変減衰器から順次調節された歪補償装置であり、低次歪に対する高次歪の影響を低減し、最適な調整を行って十分な歪補償量を得ることができるものである。
【００２７】
更に、本発明の歪補償装置は、次数毎に設けた歪補償信号発生回路を備え、高次歪に対応する歪補償信号発生回路を、高周波側と低周波側に分けて構成したものであり、特に広い周波数特性を備えていなくても良好な歪補償を行うことができるものである。
【００２８】
更にまた、本発明の歪補償装置は、各歪補償信号発生回路中の歪発生器にバイアス電圧を印加することにより、簡単な回路構成で所望の次数の歪を発生させることができるものである。
【００２９】
図１は、本発明の第１の実施の形態に係る歪補償装置の構成ブロック図である。尚、図１０と同様の構成を取る部分については、同一の符号を付して説明する。
図１に示すように、第１の実施の形態に係る歪補償装置（第１の歪補償装置）は、分配器１１０及び１１１と、遅延線１２と、３次歪補償信号発生回路３と、５次歪補償信号発生回路５と、合成器１７０及び１７１とから構成されている。
【００３０】
更に、３次歪補償信号発生回路３は、３次歪発生器１３と、可変移相器１４０と、可変減衰器１５０とから構成され、同様に、５次歪補償信号発生回路５は、５次歪発生器１６と、可変移相器１４１と、可変減衰器１５１とから構成されている。
尚、各歪補償信号発生回路における可変移相器と可変減衰器の組を、「ベクトル調整器」と称し、可変移相器と可変減衰器の順序を逆にしても構わない。
【００３１】
分配器１１０は、入力信号を、遅延線１２と分配器１１１とに分配する。
分配器１１１は、入力信号を、３次歪補償信号発生回路３と、５次歪補償信号発生回路器５とに分配する。
３次歪補償信号発生回路３は、図１０に示したものと同等であり、増幅器２で発生する３次歪と等振幅逆位相の３次歪補償信号を発生する回路である。
３次歪発生器１３は、３次歪成分を発生するものである。
可変移相器１４０は、３次歪成分の位相を独立に制御するものであり、可変減衰器１５０は、３次歪成分の振幅を独立に制御するものである。
【００３２】
同様に、５次歪補償信号発生回路５は、増幅器２で発生する５次歪と等振幅逆位相の５次歪補償信号を発生する回路であり、５次歪発生器１６は３次歪成分を発生し、可変移相器１４１は、５次歪成分の位相を調節し、可変減衰器１５１は、５次歪成分の振幅を調節するものである。
【００３３】
合成器１７１は、５次歪補償信号発生回路５で発生しベクトル調整された５次歪補償信号と、３次歪補償信号発生回路３で発生しベクトル調整された３次歪補償信号とを合成するものである。
また、合成器１７０は、合成器１７１からの（３次＋５次）の歪補償信号と、遅延線１２からの入力信号とを合成して、増幅器２に出力するものである。
【００３４】
つまり、第１の実施の形態の歪補償装置では、非線形歪の各次数に対応した歪を発生する歪発生器と、各歪発生器において発生した歪の位相及び振幅を独立して制御するベクトル調整器を備えた歪補償信号発生回路を遅延線１２と並列して複数設け、各次数毎に発生させた歪成分のベクトル調整を独立して行う構成としており、各次数の歪補償信号発生回路毎に精度の高いベクトル調整を行うことができるものである。
【００３５】
そして、第１の実施の形態の特徴として、上記構成において、高次の歪補償信号発生回路から順に歪を発生させて可変移相器及び可変減衰器を調整して歪補償を行い、高次の歪の影響を無くした状態で、順次、低次の歪補償信号発生回路の調整及び歪補償を行うようにしている。
【００３６】
ここで、増幅器が高出力動作を行っている場合の増幅器の出力スペクトルと第１の実施の形態の歪補償装置による歪補償について図２を用いて説明する。図２（ａ）は、増幅器の出力スペクトルの一例を示す説明図、（ｂ）は、第１の歪補償装置により５次歪を補償した場合の、増幅器の出力スペクトルの説明図である。
図２（ａ）に示すように、基本波成分（信号成分）をω1、ω2とした場合、２ω1−ω2と、２ω2−ω1の３次歪成分と、３ω1−２ω2と、３ω2−２ω1の５次歪成分が発生するが、それ以外にも、各次数の歪成分は、それより内側（基本波成分側）にある低次の歪及び基本波成分の周波数成分も含んでいる。
【００３７】
例えば、図２（ａ）では、５次歪は、３ω1−２ω2と、３ω2−２ω1の他に、より低次の３次歪及び基本波成分にも５次歪に起因する成分が含まれており、３次歪及び基本波成分に影響を与えている。
【００３８】
そこで、図２（ｂ）に示すように、第１の実施の形態に係る歪補償装置では、高次（ここでは５次）の歪を先に発生させて、５次歪補償信号発生回路の可変移相器及び可変減衰器を調整して歪補償を行い、まず、高次の歪が低次の歪に与える影響を低減する。図では、５次歪が補償されて、５次歪に起因する３次歪や基本波への影響成分がなくなっていることが示されている。
そして、この状態で、低次（ここでは３次）の歪を発生させて、３次歪補償信号発生回路の可変移相器及び可変減衰器を調整するものである。
【００３９】
図１の構成においては、まず、５次歪補償信号発生回路５の５次歪発生器１６で５次歪を発生して、可変移相器１４１及び可変減衰器１５１を適切に調整して歪が最小となるよう、５次歪の歪補償を行い、次に、３次歪補償信号発生回路３の３次歪発生器１３で３次歪を発生して、可変移相器１４０及び可変減衰器１５０を適切に調整する。
これにより、低次歪に対する高次歪の影響を無くし、各次数毎に適切なベクトル調整を行って、十分な歪補償量を得ることができるものである。
【００４０】
同様にして、より高次の奇数次歪が発生する場合や偶数次数の歪についても、補償する歪の高次側から順に歪の影響を無くして、可変移相器及び可変減衰器を調整していくことにより、効果的に歪を補償することができるものである。
【００４１】
ここで、第１の歪補償装置の別の構成例について図３を用いて説明する。図３は、第１の歪補償装置の別の構成例を示す構成ブロック図である。
図３に示すように、第１の実施の形態に係る歪補償装置の別の構成例は、入力信号を分配する分配器１１と、入力信号を遅延する遅延線１２と、遅延線１２と並列に設けられ、各次数毎の歪補償信号を発生する複数の歪補償信号発生回路（図示せず）と、遅延された入力信号と各歪補償信号発生回路から出力された各次数の歪補償信号とを合成する合成器１７とを備えている。
【００４２】
歪補償信号発生回路としては、２次歪発生器１８、可変移相器１４２、可変減衰器１５２から成る２次歪補償信号発生回路、３次歪発生器１３、可変移相器１４０、可変減衰器１５０から成る３次歪補償信号発生回路、４次歪発生器１９、可変移相器１４３、可変減衰器１５３から成る４次歪補償信号発生回路、５次歪発生器１６、可変移相器１４１、可変減衰器１５１から成る５次歪補償信号発生回路を備えているが、より高次の歪信号を発生する歪補償信号発生回路を設けても構わない。
【００４３】
そして、上記別の構成例においては、分配器１１で分配された入力信号が各次数の歪補償信号発生回路に入力されて、各歪発生器において、２次歪信号、３次歪信号、４次歪信号、５次歪信号を発生し、位相及び振幅を制御されて補償すべき歪と等振幅逆位相の歪補償信号が出力され、合成器１７において、遅延線１２から出力された信号と各歪補償信号発生回路からの歪補償信号を合成して、増幅器２に出力するようになっている。
【００４４】
そして、上記別の構成の歪補償回路においては、上記遅延線１２に並列に複数設けられた歪補償信号発生回路を高次側から順次動作させて、高次の歪から順に発生させ、増幅器で発生する歪と等振幅逆位相となるよう可変振幅器及び可変減衰器を調整して、高次の歪を補償してから、より低次の歪補償信号発生回路の調整を行う。これにより、低次の歪が高次の歪に影響を受けて、歪補償量が低減するのを防ぐことができるものである。
尚、図では示していないが、各次数の歪発生器の後段に遅延時間を調整する遅延回路を含んでもよい。
【００４５】
また、第１の歪補償装置では、各歪発生器は必ずしも規定の歪のみを発生するのではなく、それより低次の歪を含むものであってもよい。例えば、５次歪発生器で３次歪を含む歪を発生したとしても、この信号で５次歪を補償してから、３次歪発生器の調整を行って、５次歪発生器で発生した３次歪と３次歪発生器で発生した３次歪とを加算した状態で３次歪が最小となるように調整すればよいものである。
【００４６】
本発明の第１の実施の形態に係る歪補償装置によれば、増幅器で発生する非線形歪を補償する歪補償装置であって、特定の次数の歪を発生するアナログ回路の歪発生器と、当該歪発生器で発生する歪の位相を制御する可変移相器と、当該歪の振幅を制御する可変減衰器とを備えた歪補償信号発生回路を、遅延線１２から成る線形回路と並列して複数備え、可変移相器及び可変減衰器の組（ベクトル調整器）が、高次の歪に対応するものから調整され、高次の歪を補償してから、順次、低次の歪に対応する可変移相器及び可変減衰器の組が整される歪補償装置としているので、高次の歪が低次の歪に与える影響を低減し、歪の次数毎に精度の高いベクトル調整を行うことができ、十分な歪補償量を得ることができる効果がある。
【００４７】
また、第１の歪補償装置によれば、歪発生器をアナログ回路で構成しているため、装置を簡易且つ低コストで実現することができる効果がある。
【００４８】
次に、本発明の第２の実施の形態に係る歪補償装置について説明する。
第２の実施の形態に係る歪補償装置は、高次歪に対応する歪補償信号発生回路における可変移相器及び可変減衰器の組を、低周波数側と、高周波数側とに分けて設けることにより、特に広い周波数特性を備えなくても精度よく高次歪を補償することができ、十分良好な歪補償を実現することができるものである。
【００４９】
図４は、第２の実施の形態に係る歪補償装置（第２の歪補償装置）の構成ブロック図である。尚、図１に示した第１の歪補償装置と同様の構成を取る部分については同一の符号を付して説明する。
図４に示すように、第２の実施の形態に係る歪補償装置は、分配器１１０、１１１、１１２と、遅延線１２と、３次歪発生器１３，可変移相器１４０，可変減衰器１５０から成る３次歪補償信号発生回路（図示せず）と、５次歪発生器１６，可変移相器１４１，可変減衰器１５１から成る５次歪補償信号発生回路（図示せず）と、７次歪発生器１７と、分配器１１３と、バンドパスフィルタ１８０，１８１と、可変移相器１４４，１４５と、可変減衰器１５４，１５３と、合成器１９０，１９２，１９２，１９３とから構成されている。
【００５０】
上記構成部分の内、７次歪発生器１７と、分配器１１３と、バンドパスフィルタ１８０，１８１と、可変移相器１４４，１４５と、可変減衰器１５４，１５３と、合成器１９３で構成される７次歪補償信号発生回路以外は図１に示した第１の歪補償装置と基本的に構成及び動作が同様であるため、説明は省略する。
【００５１】
第２の歪補償装置の特徴部分である７次歪補償信号発生回路について具体的に説明する。
７次歪発生器１７は、７次歪成分を発生するものである。上述したように、相互変調歪は高次になるほど周波数帯が広くなるため、７次歪は５次歪の更に外側に広がるスペクトルを持つ。
分配器１１３は、７次歪発生器１７で発生した７次歪（ＩＭ７）を分配するものである。
バンドパスフィルタ１８０は、７次歪の下側周波数成分（ＩＭ７（Ｌ））を取り出すものである。
可変移相器１４４は、７次歪の下側周波数成分の位相を制御するものであり、可変減衰器１４５は、７次歪の下側周波数成分の振幅を制御するものである。
【００５２】
また、バンドパスフィルタ１８１は、７次歪の上側周波数成分（ＩＭ７（Ｕ））を取り出すものである。
可変移相器１４５は、７次歪の上側周波数成分の位相を制御するものであり、可変減衰器１４５は、７次歪の上側周波数成分の振幅を制御するものである。
【００５３】
そして、上記構成の歪補償装置においては、７次歪発生器１７で発生した７次歪は、分配器１１３でバンドパスフィルタ１８０とバンドパスフィルタ１８１とに分配され、バンドパスフィルタ１８０は７次歪の下側周波数成分のみを通し、可変移相器１４４及び可変減衰器１５４で下側周波数成分の位相及び振幅を制御して合成器１９３に出力する。
同様に、バンドパスフィルタ１８１は、７次歪の上側周波数成分のみを通し、可変移相器１４５及び可変減衰器１５５で上側周波数成分の位相及び振幅を制御して合成器１９３に出力する。
【００５４】
合成器１９３は、可変減衰器１５４からの、ベクトル調整された７次歪の下側周波数成分と、可変減衰器１５５からの、ベクトル調整された７次歪の上側周波数成分とを合成して、７次歪補償信号を得る。
他の部分の動作は、第１の歪補償装置と同様であるため、説明は省略するが、合成器１９２において、合成器１９３からの７次歪補償信号と可変減衰器１５１からのベクトル調整された５次歪補償信号とを合成し、合成器１９１において、更に可変減衰器１５０からのベクトル調整された３次歪補償信号を合成し、合成器１９０で、遅延線１２によって遅延された入力信号と合成器１９１からの歪信号とを合成して、増幅器２に出力する。これにより、増幅器２で発生する非線形歪の逆特性の歪を予め入力信号に加えて、歪補償を行うものである。
【００５５】
歪発生器で発生した７次歪についてそのまま位相及び振幅を調整するベクトル調整を行おうとすると、広い周波数帯域に亘って良好な周波数特性を備えた可変移相器及び可変減衰器が必要となり、回路構成や調整が困難となるが、第２の歪補償装置では、７次歪を上側周波数成分と下側周波数成分とに分離してベクトル調整することにより、それほど広い周波数特性は必要ではなくなり、回路構成及び調整を容易にすることができるものである。
【００５６】
次に、第２の歪補償装置における信号スペクトルについて図５を用いて説明する。図５は、第２の歪補償装置における信号スペクトルの一例を示す説明図である。
図５に示すように、分配器１１０に入力される入力信号はスペクトル２００で示され、基本波成分のみを含んでいる。遅延線１２は線形回路であるため、その出力はスペクトル２０１となる。
【００５７】
３次歪補償信号発生回路の出力（可変減衰器１５０の出力）はスペクトル２０２となり、３次歪成分を含む。
同様に、５次歪補償信号発生回路の出力（可変減衰器１５１の出力）はスペクトル２０３となり、５次歪成分を含む。
【００５８】
７次歪発生器１７で発生する７次歪は、スペクトル２０４で表され、広帯域に亘っている。この７次歪を分配器１１３で分配して、バンドパスフィルタ１８０を通過した後の可変減衰器１５４の出力スペクトルは、スペクトル２０５で表され、スペクトル２０４で表される７次歪の下側周波数成分のみを含むことがわかる。
同様に、バンドパスフィルタ１８１を通過した後の可変減衰器１５５の出力スペクトルは、スペクトル２０５で表され、７次歪の上側周波数成分のみを含んでいる。
【００５９】
そして、これらの歪補償信号と遅延線１２からの出力を全て合成した合成器１９０の出力スペクトルは２０７のようになり、これを増幅器２で増幅すると、増幅器２で発生する歪が相殺されて、増幅器２の出力は、スペクトル２０８に示すように歪を含まないものとなる。
【００６０】
同様にして、より高次の歪についても上側周波数成分と下側周波数成分とを分離してベクトル調整の制御をすることが可能である。
第２の歪補償装置の別の構成例について図６を用いて説明する。図６は、第２の歪補償装置の構成ブロック図である。
図６に示すように、第２の歪補償装置の別の構成例では、第２の歪補償装置に更に９次歪発生器２１と、分配器１１８と、バンドパスフィルタ１８２，１８３と、可変移相器１４７，１７８と、可変減衰器１５７，１５８と、合成器１９８から成る９次歪補償信号発生回路を設けている。
【００６１】
図６の例では、バンドパスフィルタ１８２が、９次歪発生器２１で発生した９次歪成分の下側周波数成分を取り出し、可変移相器１４７及び可変減衰器１５７が下側周波数成分の位相及び振幅を調整する。また、バンドパスフィルタ１８３が、９次歪成分の上側周波数成分を取り出し、可変移相器１４８及び可変減衰器１５８が上側周波数成分の位相及び振幅を調整する。
そして、ベクトル調整された下側周波数成分と上側周波数成分とを合成器１９８で合成して、９次歪補償信号を得るものである。
同様に、更に高次の歪についても下側周波数成分と上側周波数成分とに分離してそれぞれ独立してベクトル調整する構成としてもよい。
尚、図では示していないが、各次数の歪発生器の後段に遅延時間を調整する遅延回路を含んでもよい。
【００６２】
本発明の第２の実施の形態に係る歪補償装置によれば、増幅器で発生する非線形歪を補償する歪補償装置であって、特定の次数の歪を発生するアナログ回路の歪発生器と、当該歪発生器で発生する歪の位相を制御する可変移相器と、当該歪の振幅を制御する可変減衰器とを備えた歪補償信号発生回路を、遅延線１２から成る線形回路と並列して複数備え、７次の歪に対応する歪補償信号発生回路が、７次歪発生器１７で発生した歪成分を分配する分配器１１３と、分配された歪成分から下側周波数成分を取り出す第１のバンドパスフィルタ１８０と、下側周波数成分の位相及び振幅を調整する第１の可変移相器１４４と第１の可変減衰器１５４と、分配された歪成分から上側周波数成分を取り出す第２のバンドパスフィルタ１８１と、上側周波数成分の位相及び振幅を調整する第２の可変移相器１４５と第２の可変減衰器１５５と、第１の可変減衰器１５４及び第２の可変減衰器１５５からの出力を合成して７次歪補償信号を出力する合成器１９３とを備えた歪補償装置としているので、広い周波数に亘って発生する７次歪を上側周波数成分と下側周波数成分とに分離してベクトル調整することにより、処理する周波数帯域を狭め、周波数特性の広い回路を用いずに高次の歪を補償することができ、回路構成及び調整を容易にすることができる効果がある。
【００６３】
ここでは７次歪について可変移相器及び可変減衰器の組を上側周波数成分と下側周波数成分に分けて構成した例について説明したが、要求される回路規模や特性等に応じて、より低次や高次の歪についても、可変移相器及び可変減衰器の組を上側周波数成分と下側周波数成分に分けて設けても構わない。
【００６４】
尚、第２の装置では、相互変調歪による不要放射（一番外側のスペクトルで表される成分）については補償できるが、補償対象（ここでは７次）となる次数より低い（ここでは５次以下の）歪成分に落ち込む成分については補償することはできないものである。
【００６５】
また、本発明の第１の実施の形態及び第２の実施の形態については、アナログ回路で構成した場合のみではなく、デジタル回路で構成した場合でも同様の歪補償特性の効果が得られるものである。
【００６６】
次に、本発明の第３の実施の形態に係る歪補償装置について説明する。
第３の実施の形態に係る歪補償装置は、第１、第２の歪補償装置と同様に、歪を発生する歪発生器と、発生した歪の位相を調節する可変移相器と、発生した歪の振幅を調節する可変減衰器とから成る歪補償信号発生回路を、歪の次数毎に設けて遅延線に並列に複数接続した構成であって、歪発生器にバイアス電圧を印加して非線形歪の奇数次の歪を発生させるものであり、小さい回路規模で高い歪補償特性が得られるものである。
【００６７】
第３の実施の形態に係る歪補償装置（第３の歪補償装置）の概略構成は、図１に示した第１の歪補償装置と同一であるためここでは説明を省略する。
第３の歪補償装置では、歪補償信号発生回路における歪発生器の構成が特徴部分となっており、図１では３次歪発生器１３と５次歪発生器１６に相当するものである。
【００６８】
第３の歪補償装置の歪発生器の構成について図７を用いて説明する。図７は、第３の歪補償装置の歪発生器の回路構成図である。
図７に示すように、第３の歪補償装置の歪発生器（本装置）は、基本波相殺回路２２と、歪発生回路２３と、結合器２０とから構成されている。
歪発生回路２３は、歪を発生するものであるが、その際に線形成分も発生する。
基本波相殺回路２２は、歪発生回路２３で発生した歪と線形成分の合成信号に含まれる線形成分を反射するものである。
【００６９】
結合回路２０は、歪発生回路２３で発生した歪と線形成分の合成信号と、基本波相殺回路２２から反射される線形成分とを合成して、線形成分を相殺し、歪のみを取り出すものである。
【００７０】
図７に示した歪発生回路２３について説明する。
歪発生回路は、アンチパラレルダイオードの各ダイオードＤ１、Ｄ２のカソード側は、それぞれコイルＬ１、Ｌ２を介して接地し、アノード側にはコイルＬ３と抵抗Ｒ１、コイルＬ４と抵抗Ｒ２を介してバイアス電圧が印加される。
また、ダイオードＤ１の両端に容量Ｃ１、Ｃ２を、ダイオードＤ２の両端に容量Ｃ３、Ｃ４を設け、Ｃ１、Ｃ３を介して結合器２０への接続端子とし、ダイオードの接続端子側の反対側にある端子は、容量Ｃ２、Ｃ４を介して接地される。また、コイルＬ１、Ｌ２及び抵抗Ｒ１、Ｒ２はそれぞれ逆側のダイオード端子に接続してもよい。
【００７１】
ここでは、非線形回路としてアンチパラレルダイオードを用いているが、アンチパラレルダイオードに限らず、シングルダイオード構成、又はトランジスタ、ＦＥＴなどの非線形な特性を持つ素子を用いた構成としてもよい。
【００７２】
次に、ダイオードのＶ−Ｉ特性とバイアスとの関係について図８を用いて説明する。図８は、ダイオードのＶ−Ｉ特性とバイアスの関係を示すグラフ図である。
一般に、ダイオードのＶ−Ｉ特性は、
I=I0(exp(qv/kt)-1)
で表される。ここで、kはボルツマン定数、qは熱容量、ｔは温度である。
【００７３】
そして、図８に示すように、ダイオードのＶ−Ｉ特性は、小信号動作領域において非線形な特性を持ち、バイアスを印加するとダイオードの動作点が変わり、立ち上がりの特性が変化する。特性変化に伴い、非線形特性をべき級数で近似した際の各自の項の係数も変化する。
【００７４】
図８の例では、バイアスを印加していない時の多項式近似は、
y=0.01x+9.13X3+430.4X5+1973.7X7
であるが、ダイオードに−０．０４Ｖのバイアスを印加したときの多項式近似は
y=-0.005x+(-0.94X3)+99.2X5+885.2X7
となっており、特性のグラフも異なっている。
【００７５】
非線形特性をべき級数で表したときの各次数の項に基づいて、歪発生器の出力する各次数の歪が決定されるので、べき級数の各項の係数を変化させることにより所望の歪を発生させることができる。つまり、所望の歪を発生させる項以外の次数の項を比較的小さくすることで、所望の次数に対応した歪発生器として使用することができるものである。
【００７６】
次に、バイアスを印加したときの歪発生器のスペクトルについて図９を用いて説明する。図９は、歪発生器の出力スペクトルの例を示すスペクトル説明図である。
歪発生器に周波数の異なる２つの信号を入力したときの歪発生器の出力スペクトルは、バイアスを印加していない場合、図９（ａ）に示すように、スペクトル分布周波数の中心から、基本波成分、３次歪、５次歪、７次歪、９次歪が順次現れている。
【００７７】
これに、バイアスを印加した場合、図９（ｂ）に示すように、３次歪と７次歪の出力レベルが（ａ）に比べて低減していることがわかる。つまり、当該バイアス印加が為された歪発生器は、５次歪発生器として使用することが可能である。
すなわち、本装置では、所望の歪成分以外の次数の歪成分があまり出力されないようにバイアスを調整して印加することにより、歪発生器から出力される歪成分を制御し、高精度の歪補償を行うことができるものである。
【００７８】
本発明の第３の実施の形態に係る歪補償装置によれば、増幅器で発生する非線形歪を補償する歪補償装置であって、特定の次数の歪を発生するアナログ回路の歪発生器と、当該歪発生器で発生する歪の位相を制御する可変移相器と、当該歪の振幅を制御する可変減衰器とを備えた歪補償信号発生回路を、遅延線１２から成る線形回路と並列して複数備え、歪発生器に所望の歪成分以外の成分の出力を抑制するよう適宜バイアスを印加する歪補償装置としているので、歪発生器から所望の次数の歪信号を高精度で出力することができ、小さい回路構成で高い歪補償特性を得ることができる効果がある。
【産業上の利用可能性】
【００７９】
本発明は、簡易な構成で優れた歪補償特性を備える歪補償装置に適している。
【図面の簡単な説明】
【００８０】
【図１】本発明の第１の実施の形態に係る歪補償装置の構成ブロック図である。
【図２】（ａ）は、増幅器の出力スペクトルの一例を示す説明図であり、（ｂ）は、第１の歪補償装置により５次歪を補償した場合の、増幅器の出力スペクトルの説明図である。
【図３】第１の歪補償装置の別の構成例を示す構成ブロック図である。
【図４】第２の実施の形態に係る歪補償装置（第２の歪補償装置）の構成ブロック図である。
【図５】第２の歪補償装置における信号スペクトルの一例を示す説明図である。
【図６】第２の歪補償装置の構成ブロック図である。
【図７】第３の歪補償装置の歪発生器の回路構成図である。
【図８】ダイオードのＶ−Ｉ特性とバイアスの関係を示すグラフ図である。
【図９】歪発生器の出力スペクトルの例を示すスペクトル説明図である。
【図１０】（ａ）は、前置歪補償装置付き増幅装置の概略構成ブロック図であり、（ｂ）は、従来のアナログ前置歪補償回路の構成ブロック図である。
【図１１】歪補償の原理を示す模式説明図である。
【図１２】増幅器２の出力スペクトルを示す説明図である。
【図１３】回路の周波数特性と歪信号の関係を示す模式説明図である。
【符号の説明】
【００８１】
１…前置歪補償回路、  ２…増幅器、  ３…３次歪補償信号発生回路、  ５…５次歪補償信号発生回路、  １１，１１０，１１１，１１２，１１３…分配器、  １２…遅延線、  １３…３次歪発生器、  １４０，１４１，１４２，１４３，１４４，１４５，１４７，１４８…可変移相器、  １５０，１５１，１５２，１５３，１５４，１５５，１５７，１５８…可変減衰器、  １６…５次歪発生器、  １７…７次歪発生器、  １７０，１７１…合成器、  １８…２次歪発生器、１８０，１８１，１８２，１８３…バンドパスフィルタ、  １９…４次歪発生器、  １９，１９０，１９１，１９２，１９３，１９７，１９８…合成器、  ２０…結合器、  ２１…９次歪発生器、  ２２…基本波相殺回路、  ２３…歪発生回路
【図１】
2008048032.tif 000003
【図２】
2008048032.tif 000004
【図３】
2008048032.tif 000005
【図４】
2008048032.tif 000006
【図５】
2008048032.tif 000007
【図６】
2008048032.tif 000008
【図７】
2008048032.tif 000009
【図８】
2008048032.tif 000010
【図９】
2008048032.tif 000011
【図１０】
2008048032.tif 000012
【図１１】
2008048032.tif 000013
【図１２】
2008048032.tif 000014
【図１３】
2008048032.tif 000015